(57)【要約】      （修正有）【課題】浸水時における制御ラインの動作の確実性を向上できる電力変換装置を提供する。【解決手段】電力変換装置１００は、電子部品配置面を有する収納ケースＨと、電子部品配置面に対向する第１面Ｓ１および第１面と反対側の第２面Ｓ２を有し、収納ケース内に収納された配線基板と、第２面上に配置され、第１入力電圧が供給される第１入力端子ＴＩＮ１と、第１入力電圧より低い第２入力電圧が供給される第２入力端子ＴＩＮ２と、電子部品配置面上に配置された状態で収納ケース内に収納され第１入力端子の出力側で配線基板の配線に接続された電子部品と、第２面上に配置され電子部品の動作を制御する制御部ＣＯＮと、第２面上に配置され第２入力電圧を電力変換した補助電源電圧を制御部に供給する補助電源Ｐと、を備える。第１入力端子、第２入力端子、補助電源及び制御部は、第２面のうちの配線基板の第１側端部側の第１配線領域上に配置されている。【選択図】図３
2019216557.tif 000002
【特許請求の範囲】
【請求項１】
主電源から供給された第１入力電圧を電力変換した出力電圧を出力する電力変換装置であって、
電子部品配置面を有する収納ケースと、
前記電子部品配置面に対向する第１面および前記第１面と反対側の第２面を有し、前記収納ケース内に収納された配線基板と、
前記配線基板の前記第２面上に配置され、前記第１入力電圧が供給される第１入力端子と、
前記配線基板の前記第２面上に配置され、前記第１入力電圧よりも低い第２入力電圧が供給される第２入力端子と、
前記電子部品配置面上に配置された状態で前記収納ケース内に収納され、前記第１入力端子の出力側において前記配線基板の配線に接続された電子部品と、
前記配線基板の前記第２面上に配置され、前記電子部品の動作を制御する制御部と、
前記配線基板の前記第２面上に配置され、前記第２入力電圧を電力変換した補助電源電圧を前記制御部に供給する補助電源と、を備え、
前記第１入力端子、前記第２入力端子、前記補助電源および前記制御部は、前記配線基板の前記第２面のうちの前記配線基板の第１側端部側の第１配線領域上に配置されていることを特徴とする電力変換装置。
【請求項２】
使用状態において前記電力変換装置が浸水した場合に、前記第１入力端子、前記第２入力端子、前記補助電源および前記制御部のそれぞれの位置が水位よりも高くなるように、前記配線基板の前記第１側端部は、前記使用状態において前記第１側端部と反対側の前記配線基板の第２側端部よりも高い位置に配置されることを特徴とする請求項１に記載の電力変換装置。
【請求項３】
前記電子部品は、前記配線基板の前記第２面のうちの前記第２側端部側の第２配線領域において、前記配線基板の配線に接続されていることを特徴とする請求項２に記載の電力変換装置。
【請求項４】
前記第２入力端子は、前記第１入力端子よりも前記第１側端部側に配置されていることを特徴とする請求項１に記載の電力変換装置。
【請求項５】
前記第２入力端子は、前記第１入力端子と隣接して配置されていることを特徴とする請求項４に記載の電力変換装置。
【請求項６】
前記配線基板の前記第２面上に配置され、前記出力電圧を出力する出力端子を更に備え、
前記出力端子は、前記第２面のうちの前記第１配線領域上に配置されていることを特徴とする請求項１に記載の電力変換装置。
【請求項７】
前記制御部は、前記出力端子よりも前記第１側端部側に配置されていることを特徴とする請求項６に記載の電力変換装置。
【請求項８】
前記第１配線領域は、前記第１側端部に沿った方向において前記第２配線領域よりも大きいことを特徴とする請求項３に記載の電力変換装置。
【請求項９】
前記電子部品配置面上に配置された状態で前記収納ケース内に収納され、前記第１入力端子の出力側かつ前記電子部品の入力側において前記配線基板の配線に接続された第２の電子部品を更に備え、
前記第２の電子部品は、前記配線基板の前記第２面のうちの前記第１配線領域において、前記配線基板の配線に接続されていることを特徴とする請求項３に記載の電力変換装置。
【請求項１０】
前記配線基板の前記第２面上に配置され、前記第２の電子部品の出力側かつ前記電子部品の入力側に接続された第３の電子部品を更に備え、
前記第３の電子部品は、前記第２面のうちの前記第２配線領域上に配置されていることを特徴とする請求項９に記載の電力変換装置。
【請求項１１】
前記配線基板の前記第２面上に配置され、前記出力電圧を出力する出力端子と、
前記配線基板の前記第２面上に配置され、前記電子部品の出力側かつ前記出力端子の入力側に配置された第４の電子部品と、を更に備え、
前記第４の電子部品は、前記第２面のうちの前記第２配線領域上に配置されていることを特徴とする請求項１０に記載の電力変換装置。
【請求項１２】
前記第２の電子部品は、前記制御部により制御され、前記第１入力電圧を整流して出力する整流回路であり、
前記第３の電子部品は、前記整流回路が出力した電圧を平滑化する平滑化キャパシタであり、
前記電子部品は、前記平滑化キャパシタが平滑化した電圧を変換して出力するモジュールであり、
前記第４の電子部品は、前記モジュールが出力した電圧を調整して出力するフィルタであることを特徴とする請求項１１に記載の電力変換装置。
【請求項１３】
前記補助電源は、前記第２入力電圧を前記補助電源電圧に変換するトランスを有することを特徴とする請求項１に記載の電力変換装置。
【請求項１４】
前記フィルタは、巻線部品およびキャパシタを含むことを特徴とする請求項１２に記載の電力変換装置。
【請求項１５】
前記配線基板の前記第２面上に配置された封止樹脂を更に備えることを特徴とする請求項１に記載の電力変換装置。
【発明の詳細な説明】
【技術分野】
【０００１】
本発明は、電力変換装置に関する。
【背景技術】
【０００２】
従来から、携帯発電機等に用いられるインバータ式発電機には、エンジンの駆動にともなってエンジンに接続されたオルタネータに交流電圧を発生させ、発生した交流電圧を整流回路による整流および電解コンデンサによる平滑化によって直流電圧に変換し、変換された直流電圧をモジュールで交流電圧に変換するものがあった。また、インバータ式発電機は、整流回路やモジュールを制御する制御部に電源を供給するための補助電源を備えることがあった。制御部および補助電源は、配線基板に搭載された状態で収納ケース内に収納されていた。また、整流回路やモジュールなどの電子部品は、接続端子や半田を介して配線基板に電気的に接続された状態で収納ケース内に収納されていた。
【先行技術文献】
【特許文献】
【０００３】
【特許文献１】特開２００３−１０２２００号公報
【発明の概要】
【発明が解決しようとする課題】
【０００４】
このようなインバータ式発電機においては、配線基板が配置される向きによっては、使用中にモジュール等のパワーラインが浸水した場合であっても、浸水によるパワーラインの異常を検知するなどの目的で、制御部等の制御ラインは浸水させずに動作させるように改善が求められる場合がある。
【０００５】
そこで、本発明は、浸水時における制御ラインの動作の確実性を向上させることができる電力変換装置を提供することを目的とする。
【課題を解決するための手段】
【０００６】
本発明の一態様に係る電力変換装置は、
主電源から供給された第１入力電圧を電力変換した出力電圧を出力する電力変換装置であって、
電子部品配置面を有する収納ケースと、
前記電子部品配置面に対向する第１面および前記第１面と反対側の第２面を有し、前記収納ケース内に収納された配線基板と、
前記配線基板の前記第２面上に配置され、前記第１入力電圧が供給される第１入力端子と、
前記配線基板の前記第２面上に配置され、前記第１入力電圧よりも低い第２入力電圧が供給される第２入力端子と、
前記電子部品配置面上に配置された状態で前記収納ケース内に収納され、前記第１入力端子の出力側において前記配線基板の配線に接続された電子部品と、
前記配線基板の前記第２面上に配置され、前記電子部品の動作を制御する制御部と、
前記配線基板の前記第２面上に配置され、前記第２入力電圧を電力変換した補助電源電圧を前記制御部に供給する補助電源と、を備え、
前記第１入力端子、前記第２入力端子、前記補助電源および前記制御部は、前記配線基板の前記第２面のうちの前記配線基板の第１側端部側の第１配線領域上に配置されている。
【０００７】
前記電力変換装置において、
使用状態において前記電力変換装置が浸水した場合に、前記第１入力端子、前記第２入力端子、前記補助電源および前記制御部のそれぞれの位置が水位よりも高くなるように、前記配線基板の前記第１側端部は、前記使用状態において前記第１側端部と反対側の前記配線基板の第２側端部よりも高い位置に配置されてもよい。
【０００８】
前記電力変換装置において、
前記電子部品は、前記配線基板の前記第２面のうちの前記第２側端部側の第２配線領域において、前記配線基板の配線に接続されていてもよい。
【０００９】
前記電力変換装置において、
前記第２入力端子は、前記第１入力端子よりも前記第１側端部側に配置されていてもよい。
【００１０】
前記電力変換装置において、
前記第２入力端子は、前記第１入力端子と隣接して配置されていてもよい。
【００１１】
前記電力変換装置において、
前記配線基板の前記第２面上に配置され、前記出力電圧を出力する出力端子を更に備え、
前記出力端子は、前記第２面のうちの前記第１配線領域上に配置されていてもよい。
【００１２】
前記電力変換装置において、
前記制御部は、前記出力端子よりも前記第１側端部側に配置されていてもよい。
【００１３】
前記電力変換装置において、
前記第１配線領域は、前記第１側端部に沿った方向において前記第２配線領域よりも大きくてもよい。
【００１４】
前記電力変換装置において、
前記電子部品配置面上に配置された状態で前記収納ケース内に収納され、前記第１入力端子の出力側かつ前記電子部品の入力側において前記配線基板の配線に接続された第２の電子部品を更に備え、
前記第２の電子部品は、前記配線基板の前記第２面のうちの前記第１配線領域において、前記配線基板の配線に接続されていてもよい。
【００１５】
前記電力変換装置において、
前記配線基板の前記第２面上に配置され、前記第２の電子部品の出力側かつ前記電子部品の入力側に接続された第３の電子部品を更に備え、
前記第３の電子部品は、前記第２面のうちの前記第２配線領域上に配置されていてもよい。
【００１６】
前記電力変換装置において、
前記配線基板の前記第２面上に配置され、前記出力電圧を出力する出力端子と、
前記配線基板の前記第２面上に配置され、前記電子部品の出力側かつ前記出力端子の入力側に配置された第４の電子部品と、を更に備え、
前記第４の電子部品は、前記第２面のうちの前記第２配線領域上に配置されていてもよい。
【００１７】
前記電力変換装置において、
前記第２の電子部品は、前記制御部により制御され、前記第１入力電圧を整流して出力する整流回路であり、
前記第３の電子部品は、前記整流回路が出力した電圧を平滑化する平滑化キャパシタであり、
前記電子部品は、前記平滑化キャパシタが平滑化した電圧を変換して出力するモジュールであり、
前記第４の電子部品は、前記モジュールが出力した電圧を調整して出力するフィルタであってもよい。
【００１８】
前記電力変換装置において、
前記補助電源は、前記第２入力電圧を前記補助電源電圧に変換するトランスを有してもよい。
【００１９】
前記電力変換装置において、
前記フィルタは、巻線部品およびキャパシタを含んでもよい。
【００２０】
前記電力変換装置において、
前記配線基板の前記第２面上に配置された封止樹脂を更に備えてもよい。
【発明の効果】
【００２１】
本発明の一態様に係る電力変換装置は、主電源から供給された第１入力電圧を電力変換した出力電圧を出力する電力変換装置であって、電子部品配置面を有する収納ケースと、  電子部品配置面に対向する第１面および第１面と反対側の第２面を有し、収納ケース内に収納された配線基板と、配線基板の第２面上に配置され、第１入力電圧が供給される第１入力端子と、配線基板の第２面上に配置され、第１入力電圧よりも低い第２入力電圧が供給される第２入力端子と、電子部品配置面上に配置された状態で収納ケース内に収納され、第１入力端子の出力側において配線基板の配線に接続された電子部品と、配線基板の第２面上に配置され、電子部品の動作を制御する制御部と、配線基板の第２面上に配置され、第２入力電圧を電力変換した補助電源電圧を制御部に供給する補助電源と、を備え、第１入力端子、第２入力端子、補助電源および制御部は、配線基板の第２面のうちの配線基板の第１側端部側の第１配線領域上に配置されている。
本発明によれば、浸水時における制御ラインの動作の確実性を向上させることができる。
【図面の簡単な説明】
【００２２】
【図１】第１の実施形態に係る電力変換装置１００が適用される発電システム１０００のブロック図である。
【図２】第１の実施形態に係る電力変換装置１００を示すブロック図である。
【図３】第１の実施形態に係る電力変換装置１００を示す平面図である。
【図４】第１の実施形態に係る電力変換装置１００を示す図３のＩＶ−ＩＶ断面図である。
【図５】第１の実施形態に係る電力変換装置１００において、配線基板１０に搭載された入出力端子ＴＩＮ１、ＴＩＮ２、ＴＯＵＴ、電子部品Ｃｆ、Ｗ、Ｃｆｘおよび補助電源Ｐを示す斜視図である。
【図６】第１の実施形態に係る電力変換装置１００において、収納ケースＨを示す斜視図である。
【図７】第１の実施形態に係る電力変換装置１００において、収納ケースＨおよび収納ケースＨ上の電子部品Ｙ、Ｍ、Ｒを示す斜視図である。
【図８】第１の実施形態に係る電力変換装置１００を示す側面図である。
【図９】第１の実施形態に係る電力変換装置１００の使用状態を示す図である。
【図１０】第２の実施形態に係る電力変換装置１００の使用状態を示す図である。
【発明を実施するための形態】
【００２３】
以下、図面を参照して本発明に係る実施形態を説明する。実施形態は、本発明を限定するものではない。
【００２４】
（第１の実施形態）
図１は、第１の実施形態に係る電力変換装置１００が適用される発電システム１０００のブロック図である。図２は、第１の実施形態に係る電力変換装置１００を示すブロック図である。図３は、第１の実施形態に係る電力変換装置１００を示す平面図である。図４は、第１の実施形態に係る電力変換装置１００を示す図３のＩＶ−ＩＶ断面図である。図５は、第１の実施形態に係る電力変換装置１００において、配線基板１０に搭載された入出力端子ＴＩＮ１、ＴＩＮ２、ＴＯＵＴ、電子部品Ｃｆ、Ｗ、Ｃｆｘおよび補助電源Ｐを示す斜視図である。図６は、第１の実施形態に係る電力変換装置１００において、収納ケースＨを示す斜視図である。図７は、第１の実施形態に係る電力変換装置１００において、収納ケースＨおよび収納ケースＨ上の電子部品Ｙ、Ｍ、Ｒを示す斜視図である。図８は、第１の実施形態に係る電力変換装置１００を示す側面図である。図９は、第１の実施形態に係る電力変換装置１００の使用状態を示す図である。
【００２５】
発電システム１０００は、例えば、図１に示すように、エンジンＥと、エンジンＥに接続された図示しないオルタネータ（主電源）によって駆動されるファンＸと、エンジンＥに接続され、オルタネータから供給された第１入力電圧ＶＩＮ１を電力変換した出力電圧ＶＯＵＴを出力する電力変換装置１００とを備える。発電システム１０００は、例えば、携帯発電機などに適用することができる。
【００２６】
この発電システム１０００において、ファンＸが駆動することにより、外部から気流Ａが発電システム１０００の内部に流れ込み、電力変換装置１００及びエンジンＥの周囲に誘導される。これにより、電力変換装置１００及びエンジンＥが気流Ａにより冷却され、電力変換装置１００及びエンジンＥが発した熱が気流Ｂとともに外部に放出されることなる。
【００２７】
このような電力変換装置１００は、例えば、図２〜図４に示すように、収納ケースＨと、配線基板１０と、封止樹脂１１と、第１入力端子ＴＩＮ１と、第２入力端子ＴＩＮ２と、整流回路Ｙと、平滑化キャパシタＣと、モジュールＭと、ＬＣフィルタＦＸ（リアクタＲ、キャパシタＣｆｘ）と、ノイズフィルタＦと、出力端子ＴＯＵＴと、制御部ＣＯＮと、補助電源Ｐと、放熱フィンＺと、封止樹脂１１とを備える。
【００２８】
整流回路Ｙは、第２の電子部品の一例である。モジュールＭは、電子部品の一例である。平滑化キャパシタＣは、第３の電子部品の一例である。ノイズフィルタＦは、第４の電子部品の一例である。なお、図３において、電子部品Ｃ、Ｙ、Ｍ、Ｒは、破線または実線で模式的に表現されている。
【００２９】
ノイズフィルタＦは、巻線部品Ｗと、キャパシタＣｆとを備える。巻線部品Ｗは、例えば、コモンモードのチョークコイルであってもよい。キャパシタＣｆは、複数のキャパシタを含んでいてもよい。
【００３０】
以下、これらの電力変換装置１００の各構成部の詳細について順に説明する。
【００３１】
（収納ケースＨ）
収納ケースＨは、電力変換装置１００の各構成部を収納するケースである。収納ケースＨは、例えば、アルミニウムなどの金属で構成されている。図４に示すように、収納ケースＨは、電子部品配置面Ａ１と、電子部品配置面Ａ１の反対側の裏面Ａ２とを有する。電子部品配置面Ａ１は、上面または内面ということもでき、裏面Ａ２は、下面または外面ということもできる。
【００３２】
図６に示すように、収納ケースＨの電子部品配置面Ａ１上には、各電子部品Ｙ、Ｃ、Ｍ、Ｒのそれぞれを配置するための具体的な領域が設けられている。具体的には、電子部品配置面Ａ１上には、整流回路Ｙを配置するための第１領域と、モジュールＭを配置するための第２領域と、リアクタＲを配置するための第３領域とが設けられている。より具体的には、電子部品配置面Ａ１上には、裏面Ａ２側に向かって凹むように、第１領域の一例である第１凹部Ｓ１ｂと、第２領域の一例である第２凹部Ｓ２ｂと、第３領域の一例である第３凹部Ｓ３ｂとが設けられている。第２凹部Ｓ２ｂは、第１凹部Ｓ１ｂに隣接して設けられている。また、第３凹部Ｓ３ｂは、第２凹部Ｓ２ｂに隣接して設けられている。なお、図４および図６に示すように、各凹部Ｓ１ｂ、Ｓ２ｂ、Ｓ３ｂの反対側の裏面Ａ２上の領域は、凹部Ｓ１ｂ、Ｓ２ｂ、Ｓ３ｂが設けられていない電子部品配置面Ａ１上の領域の反対側に位置する裏面Ａ２上の領域よりも突出した凸部Ｓ１ａ、Ｓ２ａ、Ｓ３ａとなっている。
【００３３】
また、収納ケースＨには、裏面Ａ２から突出するように放熱フィンＺが設けられている。放熱フィンＺは、外部から供給された気流Ａにより冷却されることで、発熱源である電子部品（例えば、整流回路ＹおよびモジュールＭ）が発する熱を外部に放出する。放熱フィンＺは、例えば、アルミニウム等の金属材料を用いたダイカスト法などの金型鋳造法によって、収納ケースＨと一体成型されていてもよい。
【００３４】
（配線基板１０）
配線基板１０は、電子部品配置面Ａ１に対向する第１面Ｓ１および第１面Ｓ１と反対側の第２面Ｓ２を有し、収納ケースＨ内に収納されている。
【００３５】
配線基板１０には、電力変換装置１００の端子と電子部品あるいは電子部品同士を電気的に接続するための複数の配線１０Ｙａ、１０Ｃａ、１０Ｃｂ、１０Ｒａ、１０Ｒｂ、１０Ｆａ、１０ａ、１０ｂおよび複数の電極１０Ｙ、１０Ｍ、１０Ｒが設けられている。また、配線基板１０には、接地電極ＧＮＤが設けられている。なお、図３では、配線基板１０に設けられた配線および電極を簡略化して表現している。
【００３６】
使用状態において電力変換装置１００が浸水した場合に、第１入力端子ＴＩＮ１、第２入力端子ＴＩＮ２、補助電源Ｐおよび制御部ＣＯＮのそれぞれの位置が水位よりも高くなるように、配線基板１０の第１側端部１０１は、使用状態において第１側端部１０１と反対側の配線基板１０の第２側端部１０２よりも高い位置に配置される。
【００３７】
（第１入力端子ＴＩＮ１）
第１入力端子ＴＩＮ１は、配線基板１０の第２面Ｓ２上に配置されている。より詳しくは、第１入力端子ＴＩＮ１は、配線基板１０の第２面Ｓ２のうちの配線基板１０の第１側端部１０１側の第１配線領域ＷＡ１上に配置されている。
【００３８】
第１入力端子ＴＩＮ１は、配線基板１０の配線１０Ｙａを介して整流回路Ｙの入力に接続されている。
【００３９】
このような第１入力端子ＴＩＮ１には、主電源であるオルタネータから第１入力電圧ＶＩＮ１が供給される。
【００４０】
（第２入力端子ＴＩＮ２）
第２入力端子ＴＩＮ２は、配線基板１０の第２面Ｓ２上に配置されている。より詳しくは、第２入力端子ＴＩＮ２は、配線基板１０の第２面Ｓ２のうちの第１配線領域ＷＡ１上に配置されている。より詳しくは、第２入力端子ＴＩＮ２は、第１入力端子ＴＩＮ１よりも配線基板１０の第１側端部１０１側に配置されている。より詳しくは、第２入力端子ＴＩＮ２は、第１入力端子ＴＩＮ１と隣接して配置されている。
【００４１】
第２入力端子ＴＩＮ２は、配線基板１０の配線１０Ｐａを介して補助電源Ｐの入力側に接続されている。
【００４２】
このような第２入力端子ＴＩＮ２には、図示しない外部電源から、第１入力電圧ＶＩＮ１よりも低い第２入力電圧ＶＩＮ２が供給される。
【００４３】
（電子部品）
整流回路Ｙは、配線基板１０の第２面Ｓ２のうちの配線基板１０の第１側端部１０１側の第１配線領域ＷＡ１において、配線基板１０の配線１０Ｙａ、１０Ｃａ、１０ａに接続されている。
【００４４】
より詳しくは、整流回路Ｙは、収納ケースＨの電子部品配置面Ａ１上の第１凹部Ｓ１ｂに配置された状態で、収納ケースＨに収納されている。整流回路Ｙは、第１入力端子ＴＩＮ１の出力側かつモジュールＭの入力側において、配線１０Ｙａ、１０Ｃａ、１０ａに接続されている。より詳しくは、整流回路Ｙは、配線１０Ｙａを介して第１入力端子ＴＩＮ１の出力に接続されている。また、整流回路Ｙは、配線１０Ｃａを介して平滑化キャパシタＣの入力に接続されている。また、整流回路Ｙは、配線１０ａを介して制御部ＣＯＮに接続されている。
【００４５】
より詳しくは、整流回路Ｙは、第１入力電圧ＶＩＮ１、整流電圧、又は制御信号を入出力するための複数の端子ＹＴを有する。これらの端子ＹＴは、配線基板１０の電極１０Ｙにはんだ材等によって電気的に接続されている。整流回路Ｙは、封止樹脂１１とは異なる封止樹脂によってモールドされている。
【００４６】
このような整流回路Ｙは、制御部ＣＯＮにより制御され、第１入力電圧ＶＩＮ１を整流して出力する。
【００４７】
平滑化キャパシタＣは、配線基板１０の第２面Ｓ２上に配置されている。より詳しくは、平滑化キャパシタＣは、配線基板１０の第２面Ｓ２のうちの第２側端部１０２側の第２配線領域ＷＡ２上に配置されている。なお、第１配線領域ＷＡ１は、第１側端部１０１に沿った方向において第２配線領域ＷＡ２よりも大きくてもよい。
【００４８】
平滑化キャパシタＣは、整流回路Ｙの出力側かつモジュールＭの入力側に接続されている。より詳しくは、平滑化キャパシタＣは、配線１０Ｃａおよび電極１０Ｙを介して整流回路Ｙの出力に接続され、また、配線１０Ｃｂおよび電極１０Ｍを介してモジュールＭの入力に接続されている。
【００４９】
このような平滑化キャパシタＣは、整流回路Ｙが出力した電圧を平滑化し、平滑化した電圧を出力する。
【００５０】
モジュールＭは、電子部品配置面Ａ１上に配置された状態で収納ケースＨ内に収納されている。より詳しくは、モジュールＭは、収納ケースＨの電子部品配置面Ａ１上の第２凹部Ｓ２ｂに、整流回路Ｙに隣接して配置されている。
【００５１】
モジュールＭは、第１入力端子ＴＩＮ１の出力側において配線基板１０の配線１０Ｃｂ、１０ｂ、１０Ｒａに接続されている。より詳しくは、モジュールＭは、第２面Ｓ２のうちの第２配線領域ＷＡ２において、配線１０Ｃｂ、１０ｂ、１０Ｒａに接続されている。より詳しくは、モジュールＭは、整流電圧、交流電圧、又は制御信号を入出力するための複数の端子ＭＴを有する。これらの端子ＭＴは、配線基板１０の電極１０Ｍにはんだ材等によって電気的に接続されている。そして、モジュールＭは、配線１０Ｃｂおよび電極１０Ｍを介して平滑化キャパシタＣの出力に接続されている。また、モジュールＭは、配線１０Ｒａおよび電極１０Ｍを介してリアクタＲの入力に接続されている。また、モジュールＭは、配線１０ｂおよび電極Ｍを介して制御部ＣＯＮに接続されている。
【００５２】
また、モジュールＭは、封止樹脂１１とは異なる封止樹脂によってモールドされている。
【００５３】
このようなモジュールＭは、制御部ＣＯＮにより制御され、平滑化キャパシタＣが平滑化した電圧（すなわち、整流回路Ｙが整流した電圧）を変換して出力する。
【００５４】
リアクタＲは、収納ケースＨの電子部品配置面Ａ１上の第３凹部Ｓ３ｂにモジュールＭに隣接して配置されている。リアクタＲは、モジュールＭが出力した電圧が入力され、調整した電圧を出力するための複数の端子ＲＴを有する。これらの端子ＲＴは、配線基板１０の電極１０Ｒにはんだ材等によって電気的に接続されている。リアクタＲは、配線基板１０の配線１０Ｒａおよび電極１０Ｍを介してモジュールＭの出力に接続されている。また、リアクタＲは、配線基板１０の配線１０Ｒｂおよび電極１０Ｒを介してノイズフィルタＦの入力に接続されている。
【００５５】
このようなリアクタＲは、モジュールＭが出力した電圧を調整して出力する。
【００５６】
ノイズフィルタＦは、配線基板１０の第２面Ｓ２上に配置されている。より詳しくは、ノイズフィルタＦは、第２面Ｓ２のうちの第２配線領域ＷＡ２上に配置されている。
【００５７】
ノイズフィルタＦは、モジュールＭの出力側かつ出力端子ＴＯＵＴの入力側に配置されている。より詳しくは、ノイズフィルタＦの巻線部品Ｗは、リアクタＲおよびキャパシタＣｆｘで構成されるＬＣフィルタＦＸが出力した電圧をフィルタリングする過程でキャパシタＣｆｘ、Ｃｆとの間で電圧を入出力するための図示しない複数の端子を有する。これらの端子は、配線基板１０の電極にはんだ材等によって電気的に接続されている。ノイズフィルタＦは、配線１０Ｒｂを介してリアクタＲの出力に接続され、また、配線１０Ｆａを介して出力端子ＴＯＵＴの入力に接続されている。
【００５８】
このようなノイズフィルタＦは、ＬＣフィルタＦＸが出力した電圧をフィルタリング（すなわち、調整）して出力する。
【００５９】
（出力端子ＴＯＵＴ）
出力端子ＴＯＵＴは、配線基板１０の第２面Ｓ２上に配置されている。より詳しくは、出力端子ＴＯＵＴは、第２面Ｓ２のうちの第１配線領域ＷＡ１上に配置されている。
【００６０】
出力端子ＴＯＵＴは、配線基板１０の配線１０Ｆａを介してノイズフィルタＦの出力に接続されている。
【００６１】
このような出力端子ＴＯＵＴは、ノイズフィルタＦから供給された電圧を出力電圧ＶＯＵＴとして出力する。
【００６２】
（制御部ＣＯＮ）
制御部ＣＯＮは、配線基板１０の第２面Ｓ２上に配置されている。より詳しくは、制御部ＣＯＮは、配線基板１０の第２面Ｓ２のうちの第１配線領域ＷＡ１上に配置されている。より詳しくは、制御部ＣＯＮは、出力端子ＴＯＵＴよりも第１側端部１０１側に配置されている。既述したように、制御部ＣＯＮは、配線１０ａおよび電極Ｙを介して整流回路Ｙに接続され、また、配線１０ｂおよび電極１０Ｍを介してモジュールＭに接続されている。
【００６３】
このような制御部ＣＯＮは、電子部品Ｙ、Ｍの動作を制御する。より詳しくは、制御部ＣＯＮは、配線１０ａおよび電極１０Ｙを介して整流回路Ｙに制御信号を入出力することで、整流回路Ｙの動作を制御する。また、制御部ＣＯＮは、配線１０ｂおよび電極１０Ｍを介してモジュールＭに制御信号を入出力することで、モジュールＭの動作を制御する。
【００６４】
また、制御部ＣＯＮは、例えば、電子部品Ｍ、Ｙへの制御信号が適切に入力されたか否か等に基づいて、電子部品Ｍ、Ｙ等で構成されるパワーラインの異常を検知する。制御部ＣＯＮは発電システム１０００の表示部にアラームを表示することで、検知したパワーラインの異常をユーザに通知してもよい。また、制御部ＣＯＮは、検知したパワーラインの異常を発電システム１０００の制御部に通知してもよい。発電システム１０００の制御部は、制御部ＣＯＮから異常が通知された場合に、エンジンＥの停止等のシステム１０００の異常停止を実行してもよい。
【００６５】
（補助電源Ｐ）
補助電源Ｐは、配線基板１０の第２面Ｓ２上に配置されている。より詳しくは、補助電源Ｐは、配線基板１０の第２面Ｓ２のうちの第１配線領域ＷＡ１上に配置されている。
【００６６】
補助電源Ｐは、第２入力電圧ＶＩＮ２を補助電源電圧に変換するトランスＴを備える。補助電源Ｐは、トランスＴ以外にも、キャパシタ等の素子を更に備えてもよい。
【００６７】
補助電源Ｐは、配線１０Ｐａを介して第２入力端子ＴＩＮ２の出力に接続されている。また、補助電源Ｐは、配線１０ｃを介して制御部ＣＯＮに接続されている。
【００６８】
このような補助電源Ｐは、第２入力電圧ＶＩＮ２を電力変換した補助電源電圧を制御部ＣＯＮに供給する。
【００６９】
（封止樹脂１１）
封止樹脂１１は、収納ケースＨの電子部品配置面Ａ１上で、整流回路Ｙ、モジュールＭ、およびリアクタＲを封止する。また、封止樹脂１１は、配線基板１０および配線基板１０の第２面Ｓ２上の制御部ＣＯＮを封止する。
【００７０】
また、封止樹脂１１は、第１入力端子ＴＩＮ１、第２入力端子ＴＩＮ２、平滑化キャパシタＣ、ノイズフィルタＦおよび出力端子ＴＯＵＴのそれぞれと配線基板１０との接続部分を封止する。
【００７１】
以下、第１の実施形態によってもたらされる作用について説明する。
【００７２】
第１の実施形態に係る電力変換装置１００は、主電源から供給された第１入力電圧ＶＩＮ１を電力変換した出力電圧ＶＯＵＴを出力する。電力変換装置１００は、電子部品配置面Ａ１を有する収納ケースＨと、電子部品配置面Ａ１に対向する第１面Ｓ１および第１面Ｓ１と反対側の第２面Ｓ２を有し、収納ケースＨ内に収納された配線基板１０と、配線基板１０の第２面Ｓ２上に配置され、第１入力電圧ＶＩＮ１が供給される第１入力端子ＴＩＮ１と、配線基板１０の第２面Ｓ２上に配置され、第１入力電圧ＶＩＮ１よりも低い第２入力電圧ＶＩＮ２が供給される第２入力端子ＴＩＮ２と、を備える。また、電力変換装置１００は、電子部品配置面Ａ１上に配置された状態で収納ケースＨ内に収納され、第１入力端子ＴＩＮ１の出力側において配線基板１０の配線１０Ｃｂ、１０Ｒａ、１０ｂに接続されたモジュールＭと、配線基板１０の第２面Ｓ２上に配置され、モジュールＭの動作を制御する制御部ＣＯＮと、配線基板１０の第２面Ｓ２上に配置され、第２入力電圧ＶＩＮ２を電力変換した補助電源電圧を制御部ＣＯＮに供給する補助電源Ｐと、を備える。そして、第１入力端子ＴＩＮ１、第２入力端子ＴＩＮ２、補助電源Ｐおよび制御部ＣＯＮは、配線基板１０の第２面Ｓ２のうちの配線基板１０の第１側端部１０１側の第１配線領域ＷＡ１上に配置されている。
【００７３】
ここで、図９に示すように、第１配線領域ＷＡ１側を上に向けて電力変換装置１００すなわち発電システム１００を使用する場合がある。この場合、結露や発電システム１００の外部からの水の浸入などの何等かの原因で発電システム１００の筐体の内部に水ｗが貯留されると、電力変換装置１００が浸水する場合がある。
【００７４】
もし、補助電源Ｐから構成される制御ラインが浸水した場合、補助電源Ｐが動作不能となることで制御ラインが動作不能となり、例えば、電力変換装置１００の異常を検知できなくなる。
【００７５】
これに対して、第１の実施形態によれば、第１配線領域ＷＡ１上に制御ラインの構成部を配置することで、図９に示すように、第１配線領域ＷＡ１側を上に向けて電力変換装置１００を使用する場合に、モジュールＭ等から構成されるパワーラインが水ｗに浸漬した場合であっても、制御ラインの浸水を回避できる可能性を高めることができる。制御ラインの浸水を回避する可能性を高めることで、制御ラインの動作の確実性を向上させることができる。
【００７６】
したがって、本発明によれば、浸水時における制御ラインの動作の確実性を向上させることができる。
【００７７】
また、第１の実施形態では、使用状態において電力変換装置１００が浸水した場合に、第１入力端子ＴＩＮ１、第２入力端子ＴＩＮ２、補助電源Ｐおよび制御部ＣＯＮのそれぞれの位置が水位よりも高くなるように、配線基板１０の第１側端部１０１が、使用状態において第１側端部１０１と反対側の配線基板１０の第２側端部１０２よりも高い位置に配置される。
【００７８】
このような構成によれば、浸水時における制御ラインの動作の確実性を更に向上させることができる。
【００７９】
また、第１の実施形態において、モジュールＭは、配線基板１０の第２面Ｓ２のうちの第２側端部１０２側の第２配線領域ＷＡ２において、配線基板１０の配線に接続されている。
【００８０】
このような構成によれば、制約された配線基板１０の第２面Ｓ２において、パワーラインを第２配線領域ＷＡ２側に配置することで、制御ラインが浸水しないように制御ラインを第１配線領域ＷＡ１側に無理なく配置することができる。
【００８１】
また、第１の実施形態において、第２入力端子ＴＩＮ２は、第１入力端子ＴＩＮ１よりも第１側端部１０１側に配置されている。
【００８２】
このような構成によれば、制御ラインの入力端子をパワーラインの入力端子よりも浸水し難い位置に配置することができるので、浸水時における制御ラインの動作の確実性を更に向上させることができる。
【００８３】
また、第１の実施形態において、第２入力端子ＴＩＮ２は、第１入力端子ＴＩＮ１と隣接して配置されている。
【００８４】
このような構成によれば、第２入力端子ＴＩＮ２を第１入力端子ＴＩＮ１とまとめて配置することで、第１入力端子ＴＩＮ１および第２入力端子ＴＩＮ２への電源ケーブルの接続状態を一目で容易に確認することができる。
【００８５】
また、第１の実施形態において、電力変換装置１００は、配線基板１０の第２面Ｓ２上に配置され、出力電圧ＶＯＵＴを出力する出力端子ＴＯＵＴを更に備える。出力端子ＴＯＵＴは、第２面Ｓ２のうちの第１配線領域ＷＡ１上に配置されている。そして、制御部ＣＯＮは、出力端子ＴＯＵＴよりも第１側端部１０１側に配置されている。
【００８６】
このような構成によれば、制御部ＣＯＮを更に浸水し難い位置に配置することができるので、浸水時における制御ラインの動作の確実性を更に向上させることができる。
【００８７】
また、第１の実施形態において、第１配線領域ＷＡ１は、配線基板１０の第１側端部１０１に沿った方向において第２配線領域ＷＡ２よりも大きくてもよい。
【００８８】
このような構成によれば、制御ラインを配置するために十分な大きさの第１配線領域ＷＡ１を確保することができるので、浸水時における制御ラインの動作の確実性を更に向上させることができる。
【００８９】
（第２の実施形態）
次に、第２の実施形態について説明する。図１０は、第２の実施形態に係る電力変換装置１００が適用される発電システム１０００のブロック図である。
【００９０】
図１０に示すように、第２の実施形態においては、第１の実施形態に対して、更に、発電システム１０００の全体に対する電力変換装置１００の配置位置が特定されている。
【００９１】
具体的には、第２の実施形態における電力変換装置１００は、発電システム１０００の筐体１００１の内部における底部の近傍に、配線基板１０の第１側端部１０１を上に向けて配置されている。
【００９２】
第２の実施形態においては、電力変換装置１００が発電システム１０００の底部近傍に配置されていることで、発電システム１０００の筐体１００１内に少量の水ｗが貯留した場合においても、電力変換装置１００が浸水する可能性がある。
【００９３】
しかるに、第２の実施形態によれば、第１配線領域ＷＡ１上に制御ラインの構成部を配置することで、パワーラインが水ｗに浸漬した場合であっても、制御ラインの浸水を回避できる可能性を高めることができる。これにより、少量の水ｗに電力変換装置１００が浸水する場合であっても、制御ラインの浸水を回避する可能性を高めることで、制御ラインの動作の確実性を向上させることができる。
【００９４】
上述した実施形態は、あくまで一例であって、発明の範囲を限定するものではない。発明の要旨を逸脱しない限度において、上述した実施形態に対して種々の変更を行うことができる。変更された実施形態は、特許請求の範囲に記載された発明とその均等の範囲に含まれるものである。
【符号の説明】
【００９５】
１００  電力変換装置
１０  配線基板
１０１  第１側端部
Ｈ  収納ケース
ＴＩＮ１  第１入力端子
ＴＩＮ２  第２入力端子
Ｍ  モジュール
ＣＯＮ  制御部
Ｐ  補助電源
ＷＡ１  第１配線領域
【図１】
2019216557.tif 000003
【図２】
2019216557.tif 000004
【図３】
2019216557.tif 000005
【図４】
2019216557.tif 000006
【図５】
2019216557.tif 000007
【図６】
2019216557.tif 000008
【図７】
2019216557.tif 000009
【図８】
2019216557.tif 000010
【図９】
2019216557.tif 000011
【図１０】
2019216557.tif 000012